(57)【特許請求の範囲】
【請求項１】
線材を供給する線材供給手段と、線材供給手段から引き出されて走行する線材に対して投射材を投射する投射手段と、投射手段で投射材が投射された線材を巻き取る巻き取り手段とを有する線材用ショットブラストラインにおける前記線材の揺れを止める方法であって、
前記線材の走行方向における前記投射手段の前後両側に、微粒子を充填した伸縮可能な軟質管の外部からこの軟質管内を通過する線材に局部的にしかも複数の箇所に断続的な圧力をかけて前記投射材の投射時の線材に所要大きさの抵抗を付与し、これにより、前記投射材の投射による前記線材の揺れを抑制することを特徴とする線材用ショットブラストラインにおける線材揺れ止め方法。
【請求項２】
請求項１に記載の線材用ショットブラストラインにおける線材揺れ止め方法において、
前記軟質管内に空気あるいは低温の不活性ガス等を供給するようにしたことを特徴とする線材用ショットブラストラインにおける線材揺れ止め方法。
【請求項３】
請求項１に記載の線材用ショットブラストラインにおける線材揺れ止め方法において、
前記軟質管内に空気あるいは低温の不活性ガスを貫流させながら、前記軟質管内に前記投射材と同じ材質の微粒子を通過させるようにしたことを特徴とする線材用ショットブラストラインにおける線材揺れ止め方法。
【請求項４】
線材を供給する線材供給手段と、線材供給手段から引き出されて走行する線材に対して投射材を投射する投射手段と、投射手段で投射材が投射された線材を巻き取る巻き取り手段とを有する線材用ショットブラストラインにおける前記線材の揺れを止める装置であって、
前記線材の走行方向における前記投射手段の前後両側位置に、前記投射材と同じ材質の微粒子を充填した伸縮可能な軟質管の外部からこの軟質管内を通過する線材に局部的にしかも複数の箇所に断続的な圧力をかけて前記投射材の投射時の線材に所要大きさの抵抗を付与して前記投射材の投射による前記線材の揺れを抑制する抵抗手段を、配設したことを特徴とする線材用ショットブラストラインにおける線材揺れ止め装置。
【請求項５】
請求項４に記載の線材用ショットブラストラインにおける線材揺れ止め装置において、
前記抵抗手段は、
中空体状を成して粉粒体状の投射材を収納しかつ可撓性を有する容器本体と、
この容器本体の両端開口部を閉鎖部材で閉鎖しかつ前記線材用の入孔・出孔をそれぞれ有する2個の閉鎖部材と、
前記容器本体を対向する2方向から押圧して挟持する押圧手段と、
を備えたことを特徴とする線材用ショットブラストラインにおける線材揺れ止め装置。
【発明の詳細な説明】
【０００１】
【発明の属する技術分野】
本発明は、線材用ショットブラストラインにおける線材揺れ止め方法およびその装置に係り、より詳しくは線材を供給する線材供給手段と、線材供給手段から引き出されて走行する線材に対して投射材を投射する投射手段と、投射手段で投射材が投射された線材を巻き取る巻き取り手段とを有する線材用ショットブラストラインにおける前記線材の揺れを止める方法およびその装置に関する。
【０００２】
【従来の技術】
従来、線材の引抜加工ラインにおいて、引抜の前処理としてショットブラストラインにより線材の酸化スケール,錆あるいは異物等の除去を行っている。
【０００３】
【発明が解決しようとする課題】
しかし、このような従来のショットブラスト方法では、ショットブラストラインによる処理時に線材がショットの投射を受けて揺れるため、ショットブラストラインの線材搬入・搬出用孔に設けられたショットシールを損傷させたりする問題が生じており、この種の業界からこの問題の解消が要請されていた。
【０００４】
本発明は上記の事情に鑑みてなされたもので、その目的は、線材がショットの投射を受けても揺れが生じない方法およびその装置を提供することにある。
【０００５】
【課題を解決するための手段】
上記の目的を達成するため本発明の線材用ショットブラストラインにおける線材揺れ止め方法は、線材を供給する線材供給手段と、線材供給手段から引き出されて走行する線材に対して投射材を投射する投射手段と、投射手段で投射材が投射された線材を巻き取る巻き取り手段とを有する線材用ショットブラストラインにおける前記線材の揺れを止める方法であって、前記線材の走行方向における前記投射手段の前後両側に、微粒子を充填した伸縮可能な軟質管の外部からこの軟質管内を通過する線材に局部的にしかも複数の箇所に断続的な圧力をかけて前記投射材の投射時の線材に所要大きさの抵抗を付与し、これにより、前記投射材の投射による前記線材の揺れを抑制することを特徴とする。
【０００６】
【発明の実施の形態】
なお、本発明において用いる微粒子は、その形状は問わない。またなお、微粒子の粒径は限定するものではないが、線材の径と軟質管の内径等との相関により決まる。またなお、微粒子は異種類の粉粒体が混合されているものでもよく、例えば、粒径の小さい微粒子に粒径の大きい微粒子が混じっていたり、微粒子に３種類以上の大きさの粒径のものが混じっていてもよい。またなお、微粒子の形状は多角形状、球形、またはこれらが混合したものでもよい。またなお、微粒子の材質は、投射材と相異する、あるいは軟質かつ弾性のあるものを、硬度の高い多角形状の粉粒体に混合させてもよい。
【０００７】
またなお、この発明において用いる伸縮可能な軟質管とは、微粒子を線材とのあいだに保持でき線材を通過させるときに発生する摩擦力を支える強度があれば、その大きさや形状、材質は問わない。ただし、軟質管の両端には開口があってこの開口から線材が挿入あるいは引き出しされる。この場合、微粒子が線材との摩擦により、微細化し摩滅あるいは減容した場合は前述の開口あるいはこの開口の近傍に設けた図示しない開口から微粒子を軟質管内に補充する。一方、軟質管で発生した微粉や線材から脱落した異物等は線材出側の開口あるいはこの開口の近傍に設けた図示しない開口から管外に排出され、図示しない回収装置に投入される。前述の挿入側の開口から管内に外気あるいは低温の不活性ガス等を加えての摩擦熱を低下させるようにしてもよい。
【０００８】
またなお、前述の発明における線材とは、断面形状が円、概略円形、角、異形などの長尺品をいう。その材質は鋼、軽合金、複合材などでその硬度は問わない。また、この発明に好適な線材は、その断面形状が同じで、かつ、軸方向に段差面がないものが好適である。特に圧力をかける場合には、軸方向に段差面がある長尺品のときには、進行方向の陰にある凹部には、微粒子が溜まってしまい、軟質管内の微粒子を多量に排出し、線材表面と軟質管内面を接触させる恐れがあり、いずれか一方を摩耗させる可能性があるからである。
【０００９】
この発明は線材表面を引抜きあるいは加工する工程において有害な揺れがある場合、解決させる方法であり、どの製造ラインにも適用が可能である。また、本発明において、処理する線材を複数本一度に前記微粒子を入れた軟質管内を通過させることも可能である。この場合、軟質管の両端に２対あるいは複数対の開口を設けるようにする。
【００１０】
【実施例】
以下、本発明を適用した線材用ショットブラストラインの実施例について図１〜図３に基づき詳細に説明する。図１および図２に示するように、本線材用ショットブラストラインは、線材を供給する線材供給手段（図示せず）と、線材供給手段から引き出されて走行する線材に対して投射材を投射する投射手段１と、投射手段１で投射材が投射された線材を巻き取る巻き取り手段（図示せず）と、前記投射手段の左右両側位置に配設されて、前記投射材の投射時の線材に所要大きさの抵抗を付与して前記投射材の投射による前記線材の揺れを抑制する抵抗手段２・２と、構成してある。
【００１１】
そして、前記投射手段１は、図１および図２に示するように、インペラの回転により投射材を投射する複数の遠心式投射材投射装置３・３と、複数の遠心式投射材投射装置３・３を包囲するキャビネット４と、投射された投射材を回収した後前記複数の遠心式投射材投射装置３・３に送り込むようにして投射材を循環させる搬送装置５と、で構成してある。
【００１２】
また、前記抵抗手段２は、図３に示すように、中空体状を成して粉粒体１２を収納しかつ可撓性を有する容器本体６と、この容器本体６の両端開口部を閉鎖しかつ前記線材用の入孔・出孔をそれぞれ有する2個の閉鎖部材（図示せず）と、前記容器本体６を対向する2方向から押圧して挟持する押圧手段７と、で構成してある。
【００１３】
そして、前記押圧手段７は、１対のローラ８・８と、１対のローラ８・８を先端に軸支した１対のリンク機構９・９と、１対のリンク機構９・９の他端に接手ピンを介して連結されてこの１対のリンク機構９・９を開閉作動するシリンダ１０と、で構成してあり、前記押圧手段７は、前記容器本体６を包囲する円筒状の支持部材１１に装着してある。
【００１４】
このように構成されたものは、押圧手段７のシリンダ１０を伸長作動することにより、軟質管６の外部から線材Ｗの走行が可能な程度に局部的にしかも複数の箇所に断続的な圧力をかけた状態で、線材Ｗを線材用ショットブラストラインの線材供給手段から投射手段１を通過させて巻き取り手段に送り込み、その途中で、投射手段１の遠心式投射材投射装置３・３から線材Ｗに投射材を投射する。すると、線材Ｗは投射材を受けて揺れようとするが、前記投射材の投射時の線材に所要大きさの抵抗が付与されて投射材の投射による線材Ｗの揺れが抑制されるため、線材Ｗの揺れを止めることができる。これと同時に、投射材１２により線材Ｗは研掃もされる。
【００１５】
なお、上記の実施例では抵抗手段２は、投射手段１のキャビネット４に直接装着したが、キャビネット４と適宜の間隔をおいて配設するようにしても同様の作用効果が得られる。
【００１６】
【発明の効果】
以上の説明から明らかなように、本発明は、線材を供給する線材供給手段と、線材供給手段から引き出されて走行する線材に対して投射材を投射する投射手段と、投射手段で投射材が投射された線材を巻き取る巻き取り手段とを有する線材用ショットブラストラインにおける前記線材の揺れを止める方法であって、前記線材の走行方向における前記投射手段の前後両側に、微粒子を充填した伸縮可能な軟質管の外部からこの軟質管内を通過する線材に局部的にしかも複数の箇所に断続的な圧力をかけて前記投射材の投射時の線材に所要大きさの抵抗を付与し、これにより、前記投射材の投射による前記線材の揺れを抑制するから、線材がショットの投射を受けても揺れが生じることがなく、しかも線材を研削することもできるなどの優れた実用的効果を奏する。
【図面の簡単な説明】
【図１】本発明の一実施例の概略正面図である。
【図２】図１の平面図である
【図３】図１のA部拡大詳細図である。
【符号の説明】
１ 投射手段
２ 抵抗手段
【図１】
0004144783.tif 000002
【図２】
0004144783.tif 000003
【図３】
0004144783.tif 000004